(57)【要約】【課題】被介護者をベッドから車椅子等に移乗させたり、反対に車椅子等からベッドへ移乗する場合の取り扱いが非常に簡単、且つ、便利であると共に、構成が頗る簡単で保管や運搬にも便利な移乗介助用トランスファーボードを提供する。【解決手段】メインボード１の左右両側に、ヒンジ４，５を介して左右のサイドボード２，３を開閉自在に連設し、これ等左右のサイドボード２，３をメインボード１側にその先端縁同士が互いに接触干渉しないように折り畳み自在に構成する。【選択図】      図１
2004229882.tif 000002
【特許請求の範囲】
【請求項１】
被介護者をベッドから車椅子等に移乗させたり、或は、車椅子等からベツドに移乗させたりする際に、補助具として用いられる移乗介助用トランスファーボードであって、
全体を略長方形に形成したメインボードと、このメインボードの左右両側に夫々ヒンジを介して折畳み自在に取付けた左右のサイドボードとで構成すると共に、これ等左右のサイドボードが、上記メインボードの表面又は裏面のいずれに対しても密接状態に折り重ね自在で、且つ、折り重ねた際に、両サイドボードの先端面同士が互いに接触干渉しない横幅寸法に構成されていることを特徴とする移乗介助用トランスファーボード。
【請求項２】
メインボードと左右のサイドボードの長さ寸法を同一に構成すると共に、左右のサイドボードの横幅寸法の和をメインボードの横幅寸法と同一か又はそれよりも小さくなるように構成したことを特徴とする請求項１に記載の移乗介助用トランスファーボード。
【請求項３】
左右のサイドボードの横幅寸法を、夫々メインボードの横幅寸法のほぼ半分に構成したことを特徴とする請求項１又は２に記載の移乗介助用トランスファーボード。
【請求項４】
メインボードの表面又は裏面のいずれか一方の面に、滑り防止部を設けたことを特徴とする請求項１、２又は３に記載の移乗介助用トランスファーボード。
【請求項５】
メインボードおよび左右のサイドボードを硬質プラスチック材を用いて構成し、左右のヒンジをプラスチック繊維を基材とするベルト状に構成して、左右のヒンジによるメインボードと左右のサイドボードとの間の接続を、プラスチック一体成形によって構成したことを特徴とする請求項１、２、３又は４に記載の移乗介助用トランスファーボード。
【発明の詳細な説明】
【０００１】
【発明の属する技術分野】
本発明は、福祉施設や病院、或は、一般家庭等において、介護者が例えば被介護者をベツドから車椅子等に移乗させたり、或は、車椅子等からベツドに移乗させたりする際に、補助具として用いて好適な移乗介助用トランスファーボードに関するものである。
【０００２】
【従来の技術】
特許文献１には、介護者が被介護者をベツドから車椅子へ移したり、或は、車椅子からベッドへ移す際に、その移動をスムーズに行うことができるように構成した「介護者移動補助具」の記載が認められる。
また、特許文献２にも、上記特許文献１と同様な目的を持った「人体移動具」の記載が認められる。
【０００３】
【特許文献１】
特開２００１−１２０６０１号公報
【特許文献２】
特開２００２−１７７８３号公報
【０００４】
【発明が解決しようとする課題】
しかし、上記特許文献１、２に記載の介護補助具は、いずれも構成が複雑でその取り扱いも大げさなものであって、使用や保管に際しても、また、持ち運びに際しても甚だ不便なものであって、誰にでも簡単に利用できない問題があり、その改善について介護の現場から強く望まれていた。
【０００５】
本発明は上記の点に鑑み開発されたものであって、その目的は、被介護者をベッドから車椅子等に移乗させたり、反対に車椅子等からベッドへ移乗する場合の取り扱いが非常に簡単、且つ、便利であると共に、構成が頗る簡単で保管や運搬にも便利な移乗介助用トランスファーボードを提供することである。
【０００６】
【課題を解決するための手段】
（１）  上記の技術的課題を解決するために、本発明に係る移乗介助用トランスファーボードでは、前記請求項１に記載の如く、被介護者をベッドから車椅子等に移乗させたり、或は、車椅子等からベツドに移乗させたりする際に、補助具として用いられる移乗介助用トランスファーボードであって、全体を略長方形に形成したメインボードと、このメインボードの左右両側に夫々ヒンジを介して折畳み自在に取付けた左右のサイドボードとで構成すると共に、これ等左右のサイドボードが、上記メインボードの表面又は裏面のいずれに対しても密接状態に折り重ね自在で、且つ、折り重ねた際に、両サイドボードの先端面同士が互いに接触干渉しない横幅寸法に構成されていることを特徴とするものである。
【０００７】
（２）  また、本発明では前記請求項２に記載の如く、メインボードと左右のサイドボードの長さ寸法を同一に構成すると共に、左右のサイドボードの横幅寸法の和をメインボードの横幅寸法と同一か又はそれよりも小さくなるように構成したことを特徴とするものである。
【０００８】
（３）  また、本発明では前記請求項３に記載の如く、左右のサイドボードの横幅寸法を、夫々メインボードの横幅寸法のほぼ半分に構成したことを特徴とするものである。
【０００９】
（４）  また、本発明では前記請求項４に記載の如く、メインボードの表面又は裏面のいずれか一方の面に、滑り防止部を設けたことを特徴とするものである。
【００１０】
（５）  更に本発明では、前記請求項５に記載の如く、メインボードおよび左右のサイドボードを硬質プラスチック材を用いて構成し、左右のヒンジをプラスチック繊維を基材とするベルト状に構成して、左右のヒンジによるメインボードと左右のサイドボードとの間の接続を、プラスチック一体成形によって構成したことを特徴とするものである。
【００１１】
上記（１）〜（５）で述べた本発明に係る手段によれば、メインボードに対して左右のサイドボードを外側に開くことによって、ボード全体の面積を広くして
、被介護者のベッドからの移乗、或は、ベッドへの移乗を簡単に、且つ、安全に行うことができる。また、左右のサイドボードは、各ヒンジの部分でメインボードの表面又は裏面側に密接状態に折り畳むことができると共に、折り畳んだ場合は、両サイドボードの先端縁が互いに重なったり接触したりしない状態、つまり
、接触干渉しない状態に折り畳むことができるため、折り畳んだ場合の全体の形態は、全体の厚みは倍の厚さにはなるが、横幅がメインボード分の幅になってコンパクトになり、よって、ボードを運搬したり保管したりする場合に嵩張らない特徴がある。
【００１２】
また、左右のサイドボードを広げたり折り畳んだりすることにより、広いベッド上での移乗や、狭いトイレ便器上への移乗等に適宜使い分けすることができると共に、ボード全体の横幅は、左右のサイドボードを全部広げた場合、一方のサイドボードだけを広げた場合、両方のサイドボードを折り畳んだ状態のままで使用した場合等、様々なケースに対応してその広さを自由に調整して使用することを可能にする。
【００１３】
更に左右のサイドボードは、ヒンジの部分でメインボードの表面側と裏面側のいずれにも密接状態に折り畳むことができるため、メインボードの表面又は裏面に設けた滑り止め部を内側面に隠すようにサイドボードを折り畳めば、滑り止め部が他のものと接触して擦ったり、引掛ったり、或は、繊維質と絡んだりすることがないため、狭い隙間やケース、袋等に容易に収納、保管したり、これ等狭い間隔に対してスムースに出し入れすることができ、その取り扱いを容易にすることを可能にする。
【００１４】
また、メインボードに対する左右のメインボードの接続を、ヒンジを介してプラスチック成形によって一体成形するため、製造コストが抑えられて比較的低価格にて提供できる経済性を備えると共に、プラスチックの一体成形によってヒンジによる各ボードの接続部分をきれいに仕上げることができるため、接続部の凹凸等に衣服や皮膚を引掛けたりすることがなく、被介護者の移乗をスムースに、且つ、安全に行うことを可能にする。
【００１５】
【発明の実施の形態】
以下に、本発明に係る移乗介助用トランスファーボードの実施の形態を図面と共に説明すると、図１と図２は左右のサイドボードを開いた状態で示した本発明の平面図と底面図、図３は左右のサイドボードをメインボード側に折り畳んだ状態を示した本発明の平面図で、図４はその側面図であって、これ等の図面に於いて符号ＳＢで全体的に示したのは本発明に係るトランスファーボードで、１はメインボード、２，３はこのメインボード１の左右両側にヒンジ４，５を介して折り畳み自在に取付けた左右のサイドボードを示す。
【００１６】
メインボード１と左右のサイドボード２，３は、例えばポリプロピレンの様な同じ材質のプラスチック材を用いて同一の厚さの板状に形成され、また、その長さ寸法も例えば６０〜７０ｃｍ程度の同一寸法に形成されている。また、メインボード１の横幅寸法は例えば１４〜１５ｃｍで、左右のサイドボード２，３の横幅寸法はこのメインボード１の丁度半分、即ち、７〜７．５ｃｍに形成されている。
従って、左右のサイドボード２，３をヒンジ４，５の部分でメインボード１側に折り畳むと、サイドボード２，３の先端縁が互いに接触したり、重なったりしない状態、即ち、接触干渉しない図３および図４に示した密接状態に折り重ねることができる。
【００１７】
メインボード１の左右両側端面に左右のサイドボード２，３を折り畳み自在  （開閉作動自在）に接続する上記左右のヒンジ４，５は、各ボード１，２，３と同じポリプロピレン等のプラスチック材の繊維を基材とする屈曲自在な帯状（ベルト状）に造られている。これ等左右のヒンジ４，５を用いたメインボード１に対する左右のサイドボード２，３の接続加工は、プラスチック成形によって一体成形されるため、製造コストを安くすることができる。また、プラスチック製のヒンジ４，５は表裏いずれの方向にも屈曲自在であるため、左右のサイドボード２，３はメインボード１の表面１Ｔ又は裏面１Ｓのいずれの方向にも自由に折り畳むことができる。
【００１８】
更に図中、１Ａ，１Ａはメインボードの左右両端部側に設けた手掛け穴、１Ｂと１Ｃはメインボード１の表面１Ｔに表示した注意書きや社名等の表示部で、例えばポリエステルシートに各文字等を印刷したものが接着表示されている。また
、ＩＤはメインボード１の裏面１Ｓに設けた滑り止めで、トランスファーボードＳＢの移動を防止するこの滑り止めＩＤは、例えば、多数の滑り止め溝を設けたシート又は板を両面接着テープでメインボード１の裏面１Ｓに接着して構成されるが、該裏面１Ｓに直接滑り止め溝を形成して構成してもよく、その選択は任意とする。
【００１９】
上記表示部１Ｂ又は１Ｃに表示される注意書きには、例えば
（１）  使用前に、ひび割れ等の破損が無い事を確認して下さい。
（２）  橋渡しする距離は１０ｃｍ以下にする。両端は１５ｃｍ以上でしっかり支えて使用して下さい。
（３）  ボードの両端が同じ高さになるようにして下さい。
（４）  車椅子などは、必ずブレーキをかけ固定してから移乗して下さい。
といった、各種使用上の注意が表示されている。
【００２０】
図５は、本発明に係るトランスファーボードＳＢを用いて介護者が被介護者をベッドから車椅子へ移乗している状態、或は、その反対の移乗状態を説明したものであって、移乗に際しては、左右のサイドボード２，３を広げた状態でトランスファーボードＳＢの両端部を車椅子とベッドの間に掛渡し、介護者が被介護者を抱きかかえるようにしながら、このトランスファーボードＳＢの上面を滑べらすようにして移乗させる。
【００２１】
尚、トランスファーボードＳＢは左右のサイドボード２，３を図３および図４の如く閉じた状態のまま使用したり、一方のサイドボード２或は３のみを開いて使用することも可能であり、また、被介護者の移乗は、ベッドとベッドとの間や、車椅子と他の椅子及びソファー等の間、或は、狭いトイレに於ける車椅子と便器の間でも使用可能であって、その移乗の形態や使用の形態は任意とする。
【００２２】
【発明の効果】
以上述べた次第で、本発明に係る移乗介助用トランスファーボードによれば、介護者が被介護者を椅子やベッド等から安全に、また、少い力で容易に移乗させることができるのであるが、本発明では特に、左右のサイドボードを開くことによりトランスファーボードの面積を広げて、移乗の安全性を高めることができると共に、これ等左右のサイドボードをメインボード側に折り畳む（折り重ねる）ことによって、トランスファーボードの全体を小型化して運搬や保管を簡便に行えるようにした点、左右のサイドボードの一方を閉じて使用したり、両方を閉じて使用したりすることにより、使用のバリエーションを広げることができる点、並びに、全ての部材をプラスチック材で一体成形して製造コストを抑えることができる経済性を備える点と相俟って、各種福祉施設や病院、或は、一般家庭等で使用して洵に好適なものである。
【図面の簡単な説明】
【図１】本発明に係る移乗介助用トランスファーボードの平面図。
【図２】本発明に係る移乗介助用トランスファーボードの底面図。
【図３】左右のサイドボードを閉じた状態の平面図。
【図４】左右のサイドボードを閉じた状態を示した側面図。
【図５】使用状態の一例を示した説明図。
【符号の説明】
ＳＢ            トランスファーボード
１              メインボード
１Ｔ            表面
１Ｓ            裏面
２，３          サイドボード
４，５          ヒンジ
ＩＤ            滑り止め
【図１】
2004229882.tif 000003
【図２】
2004229882.tif 000004
【図３】
2004229882.tif 000005
【図４】
2004229882.tif 000006
【図５】
2004229882.tif 000007